(57)【要約】【課題】基体に振動体を取り付ける場合であっても、検出感度の低下を抑制することができる入力機能付き表示装置を提供する。【解決手段】タッチパネル２と、タッチパネル２に対向して配置された液晶表示パネル３とを備えた入力機能付き表示装置Ｘ１であって、タッチパネル２は、基体２０と、基体２０の第１主面２０ａ上に設けられた検出電極２１ａ，２２ａと、基体２０の第１主面２０ａ上に設けられた振動体２６と、を含み、液晶表示パネル３は、基体２０の第１主面２０ａに対向する第３主面３１ａを有しており、液晶表示パネル３の第３主面３１ａ上には振動体用配線７が設けられており、振動体２６の背面２６ｂには電極端子２６１が設けられており、振動体２６の背面２６ｂに設けられた電極端子２６１と、液晶表示パネル３の第３主面３１ａ上に設けられた振動体用配線７とは、異方性導電ゴム８を介して電気的に接続されている。【選択図】図５
2012043362.tif 000002
【特許請求の範囲】
【請求項１】
タッチパネルと、該タッチパネルに対向して配置された表示パネルとを備えた入力機能付き表示装置であって、
前記タッチパネルは、
第１主面、および該第１主面の反対側に位置する第２主面を有した基体と、
前記基体の第１主面上に設けられた検出電極と、
前記基体の第１主面上に設けられ、かつ前記基体を振動させる振動体と、を含み、
前記表示パネルは、前記基体の第１主面に対向する第３主面を有しており、
前記表示パネルの第３主面上には振動体用配線が設けられており、
前記振動体は、前記基体の第１主面に対向する対向面、および該対向面の反対側に位置する背面を有しており、
前記振動体の背面には電極端子が設けられており、
前記振動体の背面に設けられた電極端子と、前記表示パネルの第３主面上に設けられた振動体用配線とは、導電部材を介して電気的に接続されている、入力機能付き表示装置。
【請求項２】
前記タッチパネルは、
前記基体の第１主面上に設けられており、かつ前記検出電極と電気的に接続された検出電極用配線と、
前記検出電極用配線を覆うように前記基体の第１主面上に設けられた絶縁部材と、をさらに備え、
前記振動体の対向面と前記絶縁部材とは、接着部材を介して互いに接着されている、請求項１に記載の入力機能付き表示装置。
【請求項３】
前記絶縁部材は、前記接着部材が設けられている面において、複数の凹部が設けられており、
複数の前記凹部には、前記接着部材が埋入されている、請求項２に記載の入力機能付き表示装置。
【請求項４】
前記導電部材は、異方性導電ゴムである、請求項１〜３のいずれか一項に記載の入力機能付き表示装置。
【請求項５】
前記表示パネルに対して光を照射するためのバックライトをさらに備える、請求項１〜４のいずれか一項に記載の入力機能付き表示装置。
【請求項６】
前記タッチパネルは、静電容量方式のタッチパネルである、請求項１〜５のいずれか一項に記載の入力機能付き表示装置。
【請求項７】
前記表示パネルは、液晶表示パネルである、請求項１〜６のいずれか一項に記載の入力機能付き表示装置。
【発明の詳細な説明】
【技術分野】
【０００１】
本発明は、タッチパネルと、該タッチパネルに対向して配置された表示パネルとを備えた入力機能付き表示装置に関する。
【背景技術】
【０００２】
近年、タッチパネルを備えた入力機能付き表示装置において、使用者がこのタッチパネルを押圧した場合に、押圧した使用者に対して、押しボタンスイッチを操作した場合と同様のリアルな押圧感を伝達する技術が知られている（例えば、特許文献１参照）。また、タッチパネルの中でも静電容量方式のタッチパネルは、多点入力（マルチタッチ）が可能であることから、近年では、携帯電話、スマートフォン等の携帯端末に積極的に採用されはじめている（例えば、特許文献２参照）。
【先行技術文献】
【特許文献】
【０００３】
【特許文献１】特開２００４−１１８７５４号公報
【特許文献２】特開２００８−３１０５５１号公報
【発明の概要】
【発明が解決しようとする課題】
【０００４】
ところで、静電容量方式のタッチパネルは、指と検出電極との間での静電容量の変化を捉えて入力位置を検出する機能を有している。この静電容量方式のタッチパネルに触覚伝達技術を適用する場合、電極端子を有した振動体を、検出電極が設けられた基体に取り付ける必要がある。しかしながら、基体に対する振動体の取り付け位置によっては、振動体の電極端子と基体の検出電極との間で浮遊容量が発生し、発生した浮遊容量によって、タッチパネルの検出感度が低下する可能性があった。
【０００５】
本発明は、上記の問題点に鑑みてなされたものであり、その目的は、基体に振動体を取り付ける場合であっても、検出感度の低下を抑制することができる入力機能付き表示装置に関する。
【課題を解決するための手段】
【０００６】
本発明の入力機能付き表示装置における一態様は、タッチパネルと、該タッチパネルに対向して配置された表示パネルとを備えた入力機能付き表示装置であって、前記タッチパネルは、第１主面、および該第１主面の反対側に位置する第２主面を有した基体と、前記基体の第１主面上に設けられた検出電極と、前記基体の第１主面上に設けられ、かつ前記基体を振動させる振動体と、を含み、前記表示パネルは、前記基体の第１主面に対向する第３主面を有しており、前記表示パネルの第３主面上には振動体用配線が設けられており、前記振動体は、前記基体の第１主面に対向する対向面、および該対向面の反対側に位置する背面を有しており、前記振動体の背面には電極端子が設けられており、前記振動体の背面に設けられた電極端子と、前記表示パネルの第３主面上に設けられた振動体用配線とは、導電部材を介して電気的に接続されている。
【発明の効果】
【０００７】
本発明の入力機能付き表示装置は、基体に振動体を取り付ける場合であっても、検出感度の低下を抑制することができるという効果を奏する。
【図面の簡単な説明】
【０００８】
【図１】本発明の一実施形態に係る入力機能付き表示装置の概略構成を示す平面図である。
【図２】図１中に示した切断線Ｉ−Ｉに沿って切断した断面図である。
【図３】図１中に示した切断線ＩＩ−ＩＩに沿って切断した断面図である。
【図４】図１中に示した切断線ＩＩＩ−ＩＩＩに沿って切断した断面図である。
【図５】図１中に示した切断線ＩＶ−ＩＶに沿って切断した断面図である。
【図６】振動体の外観を示す斜視図である。
【図７】入力機能付き表示装置における表示パネルの概略構成を示す平面図である。
【図８】入力機能付き表示装置の他の例を示す断面図であって、図５と同じ部分を示す断面図である。
【図９】入力機能付き表示装置の動作例を示すフローチャートである。
【図１０】変形例１に係る入力機能付き表示装置の概略構成を示す断面図であって、図５と同じ部分を示す断面図である。
【図１１】変形例２に係る入力機能付き表示装置の概略構成を示す断面図であって、図５と同じ部分を示す断面図である。
【発明を実施するための形態】
【０００９】
以下、本発明の実施形態について、図面を参照しながら説明する。
【００１０】
但し、以下で参照する各図は、説明の便宜上、本発明の一実施形態の構成部材のうち、本発明を説明するために必要な主要部材のみを簡略化して示したものである。したがって、本発明に係る入力機能付き表示装置は、本明細書が参照する各図に示されていない任意の構成部材を備え得る。
【００１１】
図１に示すように、本実施形態に係る入力機能付き表示装置Ｘ１は、所望の画像を表示しかつ情報を入力することが可能な表示入力領域ＥＩと、表示入力領域ＥＩの外側に位置する外側領域ＥＯとを有している。また、図２に示すように、入力機能付き表示装置Ｘ１は、タッチパネル２と、タッチパネル２に対向して配置された液晶表示パネル３と、液晶表示パネル３に対して光を照射するためのバックライト４と、液晶表示パネル３およびバックライト４を収容する筐体５とを備えている。本実施形態においてタッチパネル２は、静電容量方式のタッチパネルであるが、抵抗膜方式のタッチパネル、表面弾性波方式のタッチパネル、赤外線方式のタッチパネル、電磁誘導方式のタッチパネルであってもよい。
【００１２】
図１〜図５に示すように、タッチパネル２は、基体２０を備えている。
【００１３】
基体２０は、表示入力領域ＥＩにおいて後述する第１検出電極２１ａ、第１接続電極２１ｂ、第２検出電極２２ａ、および第２接続電極２２ｂを支持する役割を担うとともに、外側領域ＥＯにおいて後述する検出電極用配線２４を支持する役割を担う部材である。基体２０は、第１主面２０ａ、および第１主面２０ａの反対側に位置する第２主面２０ｂを有している。すなわち、表示入力領域ＥＩに対応する基体２０の第２主面２０ｂが、使用者が指Ｆ１で押圧することにより情報を入力することが可能な面となる。
【００１４】
基体２０は、第１主面２０ａおよび第２主面２０ｂに対して交差する方向に光を適切に透過することが可能な構成とされるとともに、絶縁性を有する構成とされている。基体２０の構成材料としては、例えば、透明ガラスあるいは透明プラスチック等の透光性を有するものが挙げられるが、中でも視認性の観点において透明ガラスが好ましい。なお、本明細書において透光性とは、可視光に対する透過性を有することを意味する。
【００１５】
図１，図３および図４に示すように、表示入力領域ＥＩに対応する基体２０の第１主面２０ａ上には、第１検出電極２１ａと、第１接続電極２１ｂと、第２検出電極２２ａと、
第２接続電極２２ｂと、絶縁体２３とが設けられている。
【００１６】
第１検出電極２１ａは、表示入力領域ＥＩに接近した使用者の指Ｆ１の、第１方向（図１の紙面上では左右方向）における入力位置の検出を行う役割を有するものであり、指Ｆ１との間に静電容量を発生する機能を有している。すなわち、第１検出電極２１ａは、基体２０の第１主面２０ａ上に、第２方向（図１の紙面上では上下方向）に沿って所定の間隔を空けて設けられている。
【００１７】
第２接続電極２１ｂは、隣り合う第１検出電極２１ａを電気的に接続する役割を担う部材である。第１接続電極２１ｂは、基体２０の第１主面２０ａ上に設けられている。
【００１８】
第２検出電極２２ａは、表示入力領域ＥＩに接近した使用者の指Ｆ１の、第２方向における入力位置の検出を行う役割を有するものであり、指Ｆ１との間に静電容量を発生する機能を有している。すなわち、第２検出電極２２ａは、基体２０の第１主面２０ａ上に、第１方向に沿って所定の間隔を空けて設けられている。
【００１９】
第２接続電極２２ｂは、隣り合う第２検出電極２２ａを電気的に接続する役割を担う部材である。第２接続電極２２ｂは、絶縁体２３上に設けられている。このため、第２接続電極２２ｂは、第１接続電極２１ｂと電気的に絶縁される。ここで、絶縁体２３は、第１接続電極２１ｂを覆うように基体２０の第１主面２０ａ上に設けられている。絶縁体２３の構成材料としては、例えば、アクリル樹脂、エポキシ樹脂、あるいはシリコーン樹脂等の透明樹脂が挙げられる。
【００２０】
上述の第１検出電極２１ａ、第１接続電極２１ｂ、第２検出電極２２ａ、および第２接続電極２２ｂの構成材料としては、例えば、透光性を有する導電部材が挙げられる。透光性を有する導電部材としては、例えば、ＩＴＯ（Indium Tin Oxide）、ＩＺＯ（Indium Zinc Oxide）、ＡＴＯ（Antimony Tin Oxide）、ＡＺＯ（Al-Doped Zinc Oxide）、酸化錫、酸化亜鉛、あるいは導電性高分子（例えば、ＰＥＤＯＴ、ＰＳＳ等）が挙げられる。
【００２１】
図５に示すように、外側領域ＥＯに対応する基体２０の第１主面２０ａ上には、検出電極用配線２４と、絶縁部材２５と、振動体２６とが設けられている。
【００２２】
検出電極用配線２４は、第１検出電極２１ａおよび第２検出電極２２ａに電圧を印加するための役割を担う部材である。検出電極用配線２４は、一端が第１検出電極２１ａおよび第２検出電極２２ａと電気的に接続され、他端が外部導通領域Ｇ１に位置している。外部導通領域Ｇ１は、ＦＰＣ（Flexible Printed Circuit）等と電気的に接続される領域である。検出電極用配線２４は、例えば、硬質で高い形状安定性を得るべく、金属薄膜で構成されている。この金属薄膜としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。なお、上述の金属薄膜を形成する方法としては、例えば、スパッタリング法、蒸着法、あるいは化学気相成長（ＣＶＤ）法が挙げられる。
【００２３】
絶縁部材２５は、検出電極用配線２４を覆うように基体２０の第１主面２０ａ上に設けられている。絶縁部材２５は、検出電極用配線２４を保護するとともに、振動体２６を載置するための役割を担う部材である。絶縁部材２５の構成材料としては、例えば、アクリル樹脂、エポキシ樹脂、あるいはシリコーン樹脂等の透明樹脂が挙げられる。
【００２４】
振動体２６は、所定の押圧荷重を検知した場合に、基体２０を振動させる役割を担う部材である。本実施形態に係る振動体２６は、絶縁部材２５上に設けられている。本実施形
態では、振動体２６は、印加される電圧に基づいて振動する圧電素子である場合について説明するが、これに限らず、電磁式振動体、モータ等であってもよい。圧電素子としては、例えば、圧電体層と金属層とが交互に積層されたバイモルフ型の素子が挙げられる。
【００２５】
図６は、振動体２６の外観を示す斜視図である。図５および図６に示すように、振動体２６は、基体２０の第１主面２０ａと対向する対向面２６ａ、および該対向面２６ａの反対側に位置する背面２６ｂを有している。振動体２６の対向面２６ａと絶縁部材２５とは、接着部材２７を介して互いに接着されている。接着部材２７の構成材料としては、例えば、アクリル系粘着材、ゴム系粘着材、あるいはウレタン系粘着材等が挙げられる。また、振動体２６の背面２６ｂには、電極端子２６１が設けられている。なお、振動体２６の対向面２６ａでなく振動体２６の背面２６ｂに電極端子２６１が設けられている理由については後述する。
【００２６】
なお、図１では、振動体２６が２つ設けられており、かつ基体２０の同じ辺に振動体２６が並んで設けられている例について図示したが、これに限定されない。すなわち、表示入力領域ＥＩに対応する基体２０の第２主面２０ｂを押圧した使用者に対して押圧感を伝達することができれば、振動体２６の数や配置位置については、任意である。例えば、対向する短辺２辺における基体２０に、振動体２６が設けられていてもよい。
【００２７】
液晶表示パネル３は、第１透明基板３０と、第１透明基板３０に対向して配置された第２透明基板３１と、第１透明基板３０と第２透明基板３１との間に介在した液晶層３２とを備えている。また、第２透明基板３１は、タッチパネル２と対向する第３主面３１ａを有している。ここで、液晶表示パネル３の駆動方式としては、単純マトリクス駆動方式であってもよいし、アクティブマトリクス駆動方式であってもよい。また、液晶表示パネル３のモードとして、ＴＮ（Twisted Nematic）型、ＳＴＮ（Super Twisted Nematic）型、ＩＰＳ（In-Plane Switching）型、ＶＡ（Vertical Alignment）型、ＯＣＢ（Optically Compensated Bend）型のいずれのモードであってもよいし、これら以外の、例えば、ＡＦＦＳ（Advanced Fringe Field Switching）型等であってもよい。
【００２８】
バックライト４は、光源４１と、導光板４２と、反射板４３とを備えている。光源４１は、導光板４２に向けて光を出射する役割を担う部材であり、例えば、ＬＥＤ（Light Emitting Diode）からなる。なお、ＬＥＤの代わりに、冷陰極蛍光ランプ（ＣＣＦＬ）、ハロゲンランプ、キセノンランプ、ＥＬ（Electro-Luminescence）であってもよい。導光板４２は、液晶表示パネル３の下面（第１透明基板３０の下面）全体にわたって、光源４２からの光を略均一に導くための役割を担う部材である。反射板４３は、光源４１からの光を反射し、反射した光を導光板４２へ導く役割を担う部材である。
【００２９】
筐体５は、上側筐体５１と、下側筐体５２とを備えている。上側筐体５１および下側筐体５２の構成材料としては、例えば、ポリカーボネート等の樹脂、あるいはステンレス（ＳＵＳ）やアルミニウム等の金属が挙げられる。なお、図２に示すように、上側筐体５１は、支持部材６を介してタッチパネル２を支持している。支持部材６は、タッチパネル２が振動可能なように、十分な緩衝機能を有している。支持部材６としては、例えば、ホウ素、ウレタン材、あるいはアクリル樹脂系の両面粘着テープが挙げられる。
【００３０】
図７は、液晶表示パネル３の概略構成を示す平面図である。なお、図７では、説明の便宜上、振動体２６を一点鎖線で示している。図７に示すように、第２透明基板３１の第３主面３１ａ上には、振動体用配線７が設けられている。振動体用配線７は、振動体２６の電極端子２６１に電圧を印加するための役割を担う部材である。振動体用配線７は、一端が振動体２６の電極端子２６１と電気的に接続され、他端が外部導通領域Ｇ２に位置している。外部導通領域Ｇ２は、ＦＰＣ等と電気的に接続される領域である。
【００３１】
図５に示すように、振動体２６の背面２６ｂに設けられた電極端子２６１と、第２透明基板３１の第３主面３１ａ上に設けられた振動体用配線７とは、異方性導電ゴム８を介して電気的に接続されている。異方性導電ゴム８は、柔軟性を有する導電部材である。異方性導電ゴム８は、例えば、絶縁性ゴムの厚み方向に複数本のワイヤが並んだ構成を有し、ワイヤが延びる方向に電流が流れる部材である。なお、異方性導電ゴム８の代わりに、導電性接着材、半田等のその他の導電部材を用いてもよい。但し、本実施形態のように、異方性導電ゴム８を用いると、次の点で好ましい。すなわち、異方性導電ゴム８は柔軟性を有した導電部材であるので、振動体２６の振動を異方性導電ゴム８によって過度に抑制することなく、基体２０に、振動体２６の振動を伝達することができる。
【００３２】
振動体２６の電極端子２６１と、第２透明基板３１の第３主面３１ａ上の振動体用配線７とが、異方性導電ゴム８を介して電気的に接続されているので、振動体用配線７、および振動体２６の電極端子２６１を介して、振動体２６に電圧を印加することが可能となる。振動体２６に電圧が印加されると、振動体２６は振動する。
【００３３】
なお、異方性導電ゴム８は、振動体２６の背面２６ｂ全体にわたって設けられていてもよいし、振動体２６の背面２６ｂの電極端子２６１が位置する部分にのみ設けられていてもよい。振動体２６の背面２６ｂの電極端子２６１が位置する部分にのみ異方性導電ゴム８が設けられていれば、振動体２６の背面２６ｂ全体にわたって異方性導電ゴム８が設けられている場合と比べて、振動体２６の振動を異方性導電ゴム８によって抑制することが低減できるため、好ましい。
【００３４】
以上のように、入力機能付き表示装置Ｘ１では、振動体２６は、基体２０の第１主面２０ａと対向する対向面２６ａ、および該対向面２６ａの反対側に位置する背面２６ｂを有している。振動体２６の背面２６ｂに電極端子２６１が設けられ、第２透明基板３１の第３主面３１ａ上に振動体用配線７が設けられている。また、振動体２６の電極端子２６１と、第２透明基板３１の第３主面３１ａ上の振動体用配線７とは、異方性導電ゴム８を介して電気的に接続されている。すなわち、入力機能付き表示装置Ｘ１は、振動体用配線７、および振動体２６の電極端子２６１を介して、振動体２６に電圧を印加することができる。
【００３５】
ここで、仮に、上記の入力機能付き表示装置Ｘ１とは逆に、電極端子２６１が振動体２６の対向面２６ａに設けられている場合を考える。この場合、入力機能付き表示装置Ｘ１と比べて、電極端子２６１と検出電極２１ａ，２２ａとの間、および電極端子２６１と検出電極用配線２４との間の距離が短くなる。このため、電極端子２６１と検出電極２１ａ，２２ａとの間、および電極端子２６１と検出電極用配線２４との間で浮遊容量が発生し、発生した浮遊容量によって、タッチパネル２の検出感度が低下する可能性がある。
【００３６】
一方、入力機能付き表示装置Ｘ１では、電極端子２６１は、振動体２６の背面２６ｂに設けられており、振動体２６は、振動体用配線７、および振動体２６の電極端子２６１を介して、電圧が印加される。このため、入力機能付き表示装置Ｘ１は、電極端子２６１と検出電極２１ａ，２２ａとの間、および電極端子２６１と検出電極用配線２４との間の距離が長くなる。そのため、電極端子２６１と検出電極２１ａ，２２ａとの間、および電極端子２６１と検出電極用配線２４との間で発生する浮遊容量が低減できる。この結果、入力機能付き表示装置Ｘ１は、基体２０に振動体２６を取り付けた場合であっても、検出感度の低下を抑制することができる。
【００３７】
なお、上記では、振動体２６は、絶縁部材２５上に設けられている例について説明したが、これに限定されない。例えば、図８に示すように、振動体２６は、絶縁部材２５上で
はなく、外側領域ＥＯに対応する基体２０の第１主面２０ａ上に直接設けるようにしてもよい。但し、このような構成では、振動体２６を基体２０に取り付けるために、外側領域ＥＯが大きくなってしまう。すなわち、入力機能付き表示装置Ｘ１が横方向に大型化する。このため、本実施形態のように、入力機能付き表示装置Ｘ１の小型化の観点から、振動体２６は、検出電極用配線２４を覆う絶縁部材２５上に設けられていることが好ましい。
【００３８】
次に、上記の構成に係る入力機能付き表示装置Ｘ１の動作について、図９を参照しながら説明する。
【００３９】
図９に示すように、使用者が、表示入力領域ＥＩに対応する基体２０の第２主面２０ｂを押圧した場合に、振動体２６は、基体２０への押圧荷重を検出する（Ｏｐ１）。ここで、振動体２６の荷重検出機能について説明する。すなわち、使用者が、表示入力領域ＥＩに対応する基体２０の第２主面２０ｂを押圧すると、基体２０が撓む。基体２０の撓みに従って振動体２６も撓む。つまり、基体２０への押圧荷重に応じて、振動体２６の撓み量が変移する。本実施形態では、振動体２６は、圧電素子であるので、撓み量に応じた電圧に変換することができる。この結果、振動体２６により基体２０の押圧荷重を検出することができる。なお、上記では、荷重検出機能を振動体２６で実現している例について説明したが、これに限らず、例えば、歪みセンサ等の荷重センサによって実現してもよい。
【００４０】
そして、図示しない触覚伝達ドライバは、使用者による基体２０への押圧操作が、表示画面に表示された入力オブジェクトに対する押圧操作である場合に、Ｏｐ１にて検出された押圧荷重が閾値以上であるか否かを判定する（Ｏｐ２）。なお、触覚伝達ドライバは、例えば、外部導通領域Ｇ２と電気的に接続されたＦＰＣ上に設けられている。
【００４１】
そして、触覚伝達ドライバは、Ｏｐ１にて検出された押圧荷重が閾値以上であると判定すれば（Ｏｐ２にてＹＥＳ）、振動体２６を振動させる（Ｏｐ３）。そして、Ｏｐ３にて振動された振動体２６により基体２０が振動する。これにより、基体２０を押圧した使用者に対して押圧感が伝達される。一方、触覚伝達ドライバは、Ｏｐ１にて検出された押圧荷重が閾値未満であると判定すれば（Ｏｐ２にてＮＯ）、図９の処理を終了する。
【００４２】
なお、上述した実施形態は、本発明の実施形態の一具体例を示すものであり、種々の変形が可能である。以下、いくつかの主な変形例を示す。
【００４３】
[変形例１]
図１０は、変形例１に係る入力機能付き表示装置Ｘ２の概略構成を示す断面図である。なお、図１０は、図５と同じ部分を表す断面図である。図１０において、図５と同様の機能を有する構成については、同じ参照符号を付記し、その詳細な説明を省略する。
【００４４】
入力機能付き表示装置Ｘ２では、絶縁部材２５は、接着部材２７が設けられている面において、複数の凹部２５ａが設けられている。また、複数の凹部２５ａには接着部材２７が埋入されている。複数の凹部２５ａに接着部材２７が埋入されているので、絶縁部材２５と接着部材２７とが接触する面積が増加する。絶縁部材２５と接着部材２７とが接触する面積が増加するので、絶縁部材２５に対する振動体２６の接着強度を向上することができる。このため、入力機能付き表示装置Ｘ２では、振動体２６が振動した場合であっても、絶縁部材２５から振動体２６が剥がれてしまう可能性を低減できる。
【００４５】
[変形例２]
図１１は、変形例２に係る入力機能付き表示装置Ｘ３の概略構成を示す断面図である。なお、図１１は、図５と同じ部分を表す断面図である。図１１において、図５と同様の機能を有する構成については、同じ参照符号を付記し、その詳細な説明を省略する。
【００４６】
入力機能付き表示装置Ｘ３では、液晶表示パネル３において、第１透明基板３０は、第２透明基板３１よりも外側に突出する突出部３００を有している。また、第１透明基板３０の突出部３００には、タッチパネル２と対向する第３主面３０ａを有している。入力機能付き表示装置Ｘ３では、第１透明基板３０の突出部３００における第３主面３０ａ上に、振動体用配線７が設けられている。振動体２６の背面２６ｂに設けられた電極端子２６１と、第１透明基板３０の突出部３００における第３主面３０ａ上に設けられた振動体用配線７とは、異方性導電ゴム８を介して電気的に接続されている。このため、入力機能付き表示装置Ｘ３は、入力機能付き表示装置Ｘ１と同様、振動体用配線７、および振動体２６の電極端子２６１を介して、振動体２６に電圧を印加することができる。また、入力機能付き表示装置Ｘ３では、振動体用配線７は、第１透明基板３０の突出部３００における第３主面３０ａに設けられているので、入力機能付き表示装置Ｘ１と比べて、縦方向に小型化することができる。
【００４７】
[変形例３]
なお、液晶表示パネル３の代わりに、ＣＲＴ、プラズマディスプレイ、有機ＥＬディスプレイ、無機ＥＬディスプレイ、ＬＥＤディスプレイ、蛍光表示管、電界放出ディスプレイ、表面電界ディスプレイ、電子ペーパ等の表示パネルであってもよい。
【符号の説明】
【００４８】
Ｘ１，Ｘ２，Ｘ３  入力機能付き表示装置
２  タッチパネル
２０  基体
２０ａ  基体の第１主面
２０ｂ  基体の第２主面
２１ａ  第１検出電極（検出電極）
２２ａ  第２検出電極（検出電極）
２４  検出電極用配線
２５  絶縁部材
２５ａ  絶縁部材の凹部
２６  振動体
２６ａ  振動体の対向面
２６ｂ  振動体の背面
２６１  電極端子
３  液晶表示パネル（表示パネル）
３０ａ  第１透明基板の第３主面（表示パネルの第３主面）
３１ａ  第２透明基板の第３主面（表示パネルの第３主面）
４  バックライト
７  振動体用配線
８  異方性導電ゴム（導電部材）
【図１】
2012043362.tif 000003
【図２】
2012043362.tif 000004
【図３】
2012043362.tif 000005
【図４】
2012043362.tif 000006
【図５】
2012043362.tif 000007
【図６】
2012043362.tif 000008
【図７】
2012043362.tif 000009
【図８】
2012043362.tif 000010
【図９】
2012043362.tif 000011
【図１０】
2012043362.tif 000012
【図１１】
2012043362.tif 000013